(57)【要約】      【課題】導波路型タップの素子を用い出力の光ファイバ形態を単心線とテープ心線との組合せで構成する構造とすることで最小化を実現し，収納性を向上させ，接続時の特別なスキルを必要とせず，理想的な接続作業時間を提供することにある。  【解決手段】光ファイバ単心線１ｂは，導波路型タップ素子８の不平衡分岐回路１３に，４心の光ファイバテープ心線２は，導波路型タップ素子８の平衡分岐回路１２ａ〜１２ｄに配置された単心線とテープ心線との組合せで構成されている。  【選択図】図１
2007102060.tif 000002
【特許請求の範囲】
【請求項１】
１×ｎ分岐導波路型スプリッタのｎ出力の１ポートとｎ−１の他のポートとのパワー分岐比率が不平衡で，このｎ−１の他ポートのパワー分岐比率が平衡な導波路型スプリッタにおいて，前記ｎ出力の光ファイバ形態が単心線とテープ心線との組合せで構成されている構造を特徴とする不平衡導波路型スプリッタ。
【発明の詳細な説明】
【技術分野】
【０００１】
本発明は光通信サービスにおける光加入者への回線提供に関するものである。
【背景技術】
【０００２】
従来、不平衡スプリッタを必要とする場合，ファイバ型スプリッタを用い必要出力ポート数に応じ不平衡スプリッタ１×２および平衡スプリッタ１×２の多段接続により構成して使用する従来の技術がある。
【０００３】
このとき出力の光ファイバは所要数の単心線または所要数の単心線を後からリボン状に配置しテープ化する従来の技術がある。また，不平衡スプリッタを必要とする場合，不平衡のファイバ型スプリッタと平衡な導波路型スプリッタとを組合せ接続して構成する従来の技術がある。
【０００４】
更に、不平衡な導波路型スプリッタで例えば、特開平９−３３７４０号公報によると不平衡を実現する導波路のＹ分岐構造として、一本の入力導波路と両分岐導波路間の中心軸をずらせる従来の技術がある。
【０００５】
【特許文献１】特開平９−３３７４０号公報第１頁
【発明の開示】
【発明が解決しようとする課題】
【０００６】
特許文献１に記載されるファイバ型スプリッタで不平衡スプリッタを提供する場合，所要の出力数によっては不平衡スプリッタ１×２および平衡スプリッタ１×２の多段接続が必要で，この接続には融着接続が一般的である。
【０００７】
そのため，これらを何らかのケースに収納することが必要になるのが一般的でファイバ型スプリッタの固定・収容スペース，融着接続した個所の融着保護スリーブの固定・収容スペースから多段接続された不平衡スプリッタとしては，ケースが比較的大きく，多段接続を実現するためのコストが増大する問題がある。
【０００８】
また，この多段接続された不平衡スプリッタをクロージャに収納することは，ケースに収納された状態では難しい問題がある。
【０００９】
更にファイバ型スプリッタの出力ファイバ形態は例えば外径０．２５ｍｍの単心線であるためテープ心線と接続するためには，現地にてテープ心線を単心線に分離し単心線ごと接続するか，或いはテープ心線と接続する際にファイバ型スプリッタの出力ファイバの単心線をリボン状に配置し，現地にてテープ化またはテープ化せず，現地にて融着ホルダにリボン状に固定するか，もしくは工場にて予めファイバ型スプリッタの出力ファイバの単心線をリボン状に配置し，テープ化するかの何れかによりテープ心線と接続しなければならない。
【００１０】
そのためコストまたは作業時間を要する他，現地での単心に分離またはテープ化の作業についてはスキルを必要とする等の問題がある。
【００１１】
本発明は前記問題点を解決し、光ファイバ単心線における効率を改善するものである。
本発明の課題は，従来の導波路型タップの素子を用い出力の光ファイバ形態を単心線とテープ心線との組合せで構成する構造とすることで最小化を実現し，収納性を向上させ，接続時の特別なスキルを必要とせず，理想的な接続作業時間を提供することにある。
【課題を解決するための手段】
【００１２】
本発明によれば，１×ｎ分岐導波路型スプリッタのｎ出力の１ポートとｎ−１の他のポートとのパワー分岐比率が不平衡で，このｎ−１の他ポートのパワー分岐比率が平衡な導波路型スプリッタにおいて，前記ｎ出力の光ファイバ形態が単心線とテープ心線との組合せで構成されている構造を特徴とする不平衡導波路型スプリッタが得られる。
【発明の効果】
【００１３】
本発明の不平衡導波路型スプリッタは，光ファイバ単心線が導波路型タップ素子の不平衡分岐回路に，４心の光ファイバテープ心線において，導波路型タップ素子の平衡分岐回路に配置された単心線とテープ心線との組合せで構成されている構造により，最小化を実現し，収納性を向上させ，接続時の特別なスキルを必要とせず，理想的な接続作業時間で可能である。
【発明を実施するための最良の形態】
【００１４】
以下，本発明に係わる不平衡導波路型スプリッタの一実施の形態について図面を参照して詳細に説明する。
図１は本発明に係る不平衡導波路型スプリッタの１実施形態の内部構造図である。
図１における本発明の１×５の不平衡導波路型スプリッタの一実施形態を示す構造図において，１は光ファイバ単心線，２は光ファイバテープ心線，３はシーラント，４は心線固定剤，５はＶ溝基盤，６は光ファイバ，７は押え蓋，８は導波路型タップ素子，９はケース，１０はブーツ，１１は単心線保護パイプ，１２は平衡分岐回路，１３は不平衡分岐回路である。
【００１５】
ここで光ファイバ単心線１は通常の光ファイバ素線であればよく，その材質，形状，形態は説明図に例示したものに限定されるものではない。
また，ここで光ファイバテープ心線２は４心とするが，光ファイバテープ心線２は光ファイバ素線をリボン状に並べた通常のテープ心線で，かつ，分岐数に応じテープ心線の心数を選択すればよく，その材質，形状，形態は説明図に例示したものに限定されるものではない。
【００１６】
さらに，シーラント３，心線固定剤４，Ｖ溝基盤５，光ファイバ６，押え蓋７，導波路型タップ素子８，ケース９，ブーツ１０，単心線保護パイプ１１は，通常スプリッタの製作に使用されるもので，その材質，形状，形態は説明図に例示したものに限定されるものではない。
【００１７】
さらに，導波路型タップ素子８の不平衡分岐回路１３と平衡分岐回路１２との分岐比率および平衡分岐回路の分岐数は，用途に応じた分岐比率，分岐数を選択すればよく，説明に例示したものに限定されるものではない。
【００１８】
図１（ａ）に示すものは一般的に加工された導波路型タップ素子８に対し，光ファイバ単心線１ａ，Ｖ溝基盤５ａ，押え蓋７ａ，シーラント３ａおよび心線固定剤４ａを用い加工された所謂１ＦＡを調心装置にて接続し，更に光ファイバ単心線１ｂ，４心の光ファイバテープ心線２，Ｖ溝基盤５ｂ，押え蓋７ｂ，シーラント３ｂおよび心線固定剤４ｂを用い所謂５ＦＡを加工準備し，調心装置にて接続されて構成されている。
【００１９】
ここで光ファイバ単心線１ｂ，４心の光ファイバテープ心線２，Ｖ溝基盤５ｂ，押え蓋７ｂ，シーラント３ｂおよび心線固定剤４ｂを用いて構成される５ＦＡにおいて光ファイバ単心線１ｂは，導波路型タップ素子８の不平衡分岐回路１３に，４心の光ファイバテープ心線２は，導波路型タップ素子８の平衡分岐回路１２ａ，１２ｂ，１２ｃ，１２ｄに接続されるようＶ溝基盤５ｂのＶ溝に配置する構造とする。
【００２０】
図１（ｂ）は，図１（ａ）に示した不平衡導波路型スプリッタをケース９，ブーツ１０，単心線保護パイプ１１にて保護・収納された不平衡導波路型スプリッタの外観構造図で、ここでケース９の内部は必要に応じ，樹脂やオイルなどのコンパウンドを充填してもよく，また，心線保護パイプ１１も必要に応じ構成からなくしてもよく，さらにケース９およびブーツ１０の材質，形状，形態は説明図に例示したものに限定されるものではない。
【図面の簡単な説明】
【００２１】
【図１】（ａ）  本発明の１×５の不平衡導波路型スプリッタの一実施形態を示した内部構造図であり，（ｂ）  外観構造図である。
【符号の説明】
【００２２】
１ａ,１ｂ  光ファイバ単心線
２      光ファイバテープ心線
３ａ,３ｂ  シーラント
４ａ,４ｂ  心線固定剤
５ａ,５ｂ  V溝基盤
６ａ,６ｂ  光ファイバ
７ａ,７ｂ  押え蓋
８      導波路型タップ素子
９      ケース
１０      ブーツ
１１      単心線保護パイプ
１２ａ,１２ｂ,１２ｃ,１２ｄ  平衡分岐回路
１３      不平衡分岐回路
【図１】
2007102060.tif 000003